【事件の表示】
　上記当事者間の特許第２７７６４７３号発明「図柄組合わせ式遊技機用の図柄可変表示装置」の特許無効審判事件について、次のとおり審決する。
【結　論】
　訂正を認める。
　本件審判の請求は、成り立たない。
　審判費用は、請求人の負担とする。
【理　由】
１．本件特許の経緯
　本件特許第２７７６４７３号は、平成４年３月３０日の特許出願であって、平成１０年５月１日に、その特許権の登録がなされたものである。
　
２．本件無効審判の経緯
　審判請求人株式会社マルホンは、本件請求項１に係る特許（以下、「本件特許」という。）を無効とする、審判費用は被請求人の負担とするとの審決を求めて、無効審判を請求した。
　その後無効理由が通知され、これに対して、被請求人は、平成１４年４月２日付けで、答弁書を提出するとともに訂正請求をした。
　
３．登録された本件特許発明
　登録時における願書に添付された明細書及び図面の請求項１に係る発明は、その特許請求の範囲に記載された次のとおりのものである。
「ａ．始動条件と停止条件に基づく複数種類の図柄組合わせゲームを行ない、予め設定された図柄同志の組合わせ成立時に対応して、特別遊技状態を呈することが可能とされた遊技機において、
ｂ．前記図柄組合わせゲームの実体表示部とされる複数列ドラム式の図柄表示ユニット（４５）について、適宜電子制御装置（Ｅ）に接続可能とされた１枚の駆動基盤（４６）の片面側に、パルス駆動制御されるステッピングモータ（４７）と、
ｃ．図柄位置検出用の光電式の検出具（５０）と、
ｄ．図柄照射用の照明手段（５１）を所要位置に配置して同基盤（４６）の他面側の駆動制御回路（５２）に各々接続する一方、
ｅ．ステッピングモータ（４７）の回転部材（４８）に、各種図柄（５９ａ，５９ｂ）を熱転写方式により絵付け配置した図柄ドラム（５４）を直接連結してセット単位に構成すると共に、
ｆ．各列における前記図柄ドラム（５４）のリム部（５５）を、照射に対して色彩調和変化できる適宜下地色の有色透明にして、同リム部（５５）の円周外面に透光性をもつ当り用と外れ用の前記図柄（５９ａ，５９ｂ）を形成し、
ｇ．この図柄ドラム（５４）の内側に設置された前記照明手段（５１）における発光色の異なる２個以上の発光源（５１ａ，５１ｂ）を、図柄（５９ａ，５９ｂ）の停止表示位置側に向けて配設し、
ｈ．前記各列の図柄ドラム（５４）の図柄（５９ａ，５９ｂ）同志による外れ、リーチ外れ、大当たりの夫々の図柄組合わせ条件に対して、前記照明手段（５１）の発光源（５１ａ，５１ｂ）による発光色切換え照射可能に設定して、夫々の図柄（５９ａ，５９ｂ）に各々の発光色を照射するようにしたことを特徴とする
　図柄組合わせ式遊技機用の図柄可変表示装置。」
　便宜上、特許請求の範囲を構成要件毎に分説し、各構成要件にａ〜ｈの符号を付した。
　
４．審判請求人の主張
　請求人は、甲第１号証として特開平４−９０７７７号公報を、甲第２号証として特開昭６３−１２５２７６号公報を、甲第３号証として特公昭５７−３８２６８号公報を及び甲第４号証として特公昭６２−５２７０７号公報を提示し、
ａ．甲第１号証に記載された発明は、１６、１７及び１８の３つのＬＥＤを備えており、甲第２号証を考慮すれば、本件特許発明の構成要件ｇ，ｈのようにこの３つのＬＥＤの発光色を変えるのは容易であるから、本件特許発明は、甲第１号証及び甲第２〜４号証に記載された発明を適宜組み合わせることにより、当業者が容易に発明をすることができたものであって、特許法第２９条第２項の規定に違反して特許されたものである。
旨主張している。
　
５．当審で通知した無効理由の概要
　当審で通知した無効理由は、甲第１〜４号証を引用し、甲第１号証に記載された発明のＬＥＤ１６〜１８の組合わせは本件特許発明の実施例の変更表示色としての蛍光灯５１ｂ及び常時表示色としての蛍光灯５１ａの組合わせに相当すると認定し、甲第２号証を考慮すれば、本件特許発明の構成要件ｇ，ｈのように、ＬＥＤ１６〜１８及びＬＥＤ１９の発光色を変えるのは容易であるから、本件特許発明は、甲第１号証及び甲第２〜４号証に記載された発明を適宜組み合わせることにより、当業者が容易に発明をすることができたものであって、特許法第２９条第２項の規定に違反して特許されたものである、というものである。
　
６．被請求人の主張
　請求人の主張に対し、審判被請求人は、以下のとおり主張する
ａ．甲第３号証及び甲第４号証には、開示された印刷技術を、本件が対象としている遊技機の図柄ドラムに適用することは、示唆されていない。
ｂ．甲第１号証には、「図形ドラムのリム部を照射に対して色彩調和できる適宜下地色の有色透明」とした点は披瀝も示唆もしていない。
ｃ．甲第２号証に記載されたものは、甲第１号証に記載された図柄組合わせ式遊技機とは構成が異なる。また、甲第１号証は、「リーチ状態」と「大当たり状態」との２種類の図柄組み合わせ状態に対して点灯状態を異ならせるものであり、「外れ」、「リーチはずれ」および「大当たり」の３種類の図柄組み合わせ条件に対して照明状態を切換える点については、披瀝も示唆もしていない。
　また、当審の無効理由通知に対して、以下のとおり主張する。
ａ．訂正により限定した「透光性をもつ当り用と外れ用の図柄を照明手段から照射される紫外線に対して発光照明し得る蛍光インクで印刷した点」及び「各図柄を除いた周囲の下地部分を蛍光インク以外の通常インクで印刷する点」に関しては、甲第１〜４号証のいずれにも披瀝も示唆もされていない。
　
７．訂正請求によって訂正された明細書の発明
　上記訂正請求によって訂正された明細書の請求項１に係る発明（以下、「訂正発明１」という。）は、その特許請求の範囲に記載された次のとおりのものである。
「ａ．始動条件と停止条件に基づく複数種類の図柄組合わせゲームを行ない、予め設定された図柄同志の組合わせ成立時に対応して、特別遊技状態を呈することが可能とされた遊技機において、
ｂ．前記図柄組合わせゲームの実体表示部とされる複数列ドラム式の図柄表示ユニット（４５）について、適宜電子制御装置（Ｅ）に接続可能とされた１枚の駆動基盤（４６）の片面側に、パルス駆動制御されるステッピングモータ（４７）と、
ｃ．図柄位置検出用の光電式の検出具（５０）と、
ｄ．図柄照射用の照明手段（５１）を所要位置に配置して同基盤（４６）の他面側の駆動制御回路（５２）に各々接続する一方、
ｅ．ステッピングモータ（４７）の回転部材（４８）に、各種図柄（５９ａ，５９ｂ）を熱転写方式により絵付け配置した図柄ドラム（５４）を直接連結してセット単位に構成すると共に、
ｆ．各列における前記図柄ドラム（５４）のリム部（５５）を、照射に対して色彩調和変化できる適宜下地色の有色透明にして、同リム部（５５）の円周外面に、前記照明手段（５１）から照射される紫外線に対して発光照明し得る蛍光インクで印刷された透光性をもつ当り用と外れ用の前記図柄（５９ａ，５９ｂ）を形成すると共に、各図柄（５９ａ，５９ｂ）を除いた周囲の下地部分（５９ｃ）は蛍光インク以外の通常インクで印刷され、
ｇ．この図柄ドラム（５４）の内側に設置された前記照明手段（５１）における発光色の異なる２個以上の蛍光灯（５１ａ，５１ｂ）を、図柄（５９ａ，５９ｂ）の停止表示位置側に向けて配設し、
ｈ．前記各列の図柄ドラム（５４）の図柄（５９ａ，５９ｂ）同志による外れ、リーチ外れ、大当たりの夫々の図柄組合わせ条件に対して、前記照明手段（５１）の蛍光灯（５１ａ，５１ｂ）による発光色切換え照射可能に設定して、夫々の図柄（５９ａ，５９ｂ）に各々の発光色を照射するようにしたことを特徴とする
　図柄組合わせ式遊技機用の図柄可変表示装置。」
　便宜上、特許請求の範囲を構成要件毎に分説し、各構成要件にａ〜ｈの符号を付した。
　
８．訂正請求の適否に対する判断
　上記訂正請求の適否について判断する。
（１）上記訂正は、願書に添付された明細書（以下、「特許明細書」という。）を、以下のａ〜ｄのとおり訂正するものである。
ａ．特許請求の範囲について、
　特許請求の範囲第１項について、「リム部（５５）の円周外面に透光性をもつ当り用と外れ用の前記図柄（５９ａ，５９ｂ）を形成し」を、「リム部（５５）の円周外面に、前記照明手段（５１）から照射される紫外線に対して発光照明し得る蛍光インクで印刷された透光性をもつ当り用と外れ用の前記図柄（５９ａ，５９ｂ）を形成すると共に、各図柄（５９ａ，５９ｂ）を除いた周囲の下地部分（５９ｃ）は蛍光インク以外の通常インクで印刷され」と訂正（以下、「訂正事項ａ１」という。）し、「発光源（５１ａ，５１ｂ）」を「蛍光灯（５１ａ，５１ｂ）」と訂正する（以下、「訂正事項ａ２」という。）。
ｂ．発明の詳細な説明について、
　平成１０年１月３０日付け手続補正書により補正がされた段落【０００９】１４−２０行目の、「同リム部の円周外面に透光性をもつ当り用と外れ用の前記図柄を形成し、この図柄ドラムの内側に設置された前記照明手段における発光色の異なる２個以上の発光源を、図柄の停止表示位置側に向けて配設し、前記各列の図柄ドラムの図柄同志による外れ、リーチ外れ、大当たりの夫々の図柄組合わせ条件に対して、前記照明手段の発光源による発光色切換え照射可能に設定して、夫々の図柄に各々の発光色を照射するようにしたことを特徴とする。」を、「同リム部の円周外面に、前記照明手段から照射される紫外線に対して発光照明し得る蛍光インクで印刷された透光性をもつ当り用と外れ用の前記図柄を形成すると共に、各図柄を除いた周囲の下地部分は蛍光インク以外の通常インクで印刷され、この図柄ドラムの内側に設置された前記照明手段における発光色の異なる２個以上の蛍光灯を、図柄の停止表示位置側に向けて配設し、前記各列の図柄ドラムの図柄同志による外れ、リーチ外れ、大当たりの夫々の図柄組合わせ条件に対して、前記照明手段の蛍光灯による発光色切換え照射可能に設定して、夫々の図柄に各々の発光色を照射するようにしたことを特徴とする。」と訂正する。
ｃ．発明の詳細な説明について
　平成１０年１月３０日付け手続補正書により補正がされた段落【００１０】８−１０行目の「発光色の異なる２個以上の発光源を持つ照明手段が、図柄停止位置側に向けて各々の発光源による発光色を切換え照射する。」を、「発光色の異なる２個以上の蛍光灯を持つ照明手段が、図柄停止位置側に向けて各々の蛍光灯による発光色を切換え照射する。」と訂正する。
ｄ．発明の詳細な説明について
　平成１０年１月３０日付け手続補正書により補正がされた段落【００４６】４−５行目の「照明手段の異色複数個の発光源による発光色切換え照射技術との巧みな関連付けをなし、」を「「照明手段の異色複数個の蛍光灯による発光色切換え照射技術との巧みな関連付けをなし、」と訂正する。
　
（２）上記訂正のうち、
　ａ１の訂正事項についてみると、この訂正は、リム部の円周外面の図柄について、当り用と外れ用の図柄（５９ａ，５９ｂ）を紫外線に対して発光照明し得る蛍光インクで印刷したものに限定し、各図柄（５９ａ，５９ｂ）を除いた周囲の下地部分（５９ｃ）を通常インクで印刷したものに限定したものであるから、特許請求の範囲の減縮に相当し、ａ２の訂正事項についてみると、この訂正は、照明手段の発光源をその下位概念の蛍光灯に限定するものであるから、特許請求の範囲の減縮に相当する。
　ｂ〜ｄの訂正についてみると、この訂正は、特許請求の範囲の減縮に伴って、発明の詳細な説明の【課題を解決するための手段】、【作用】及び【発明の効果】を、これと整合するように訂正するものであるから、明りょうでない記載の釈明に相当する。
　そして、上記ａ１の訂正事項は、特許明細書の段落【００２４】に図柄ドラムの印刷の仕方として特定されたとおりのものであり、訂正事項ａ２は、段落【００２１】に、照明手段の光源として記載されているから、いずれも、特許明細書に記載された事項の範囲内のものである。
　そして、これらの訂正によって、発明の目的が変更されるものでもないから、前記訂正事項は、いずれも、実質上特許請求の範囲を拡張するものでもなく、また、変更するものでもない。
　
（３）以上のとおりであるから、上記訂正請求は、特許法第１２０条の４第２項並びに同条第３項で準用する第１２６条第２項及び第３項の規定に適合するので、当該訂正を認める。
　
９．無効理由に対する判断
　無効審判の請求理由及び当審で通知した無効理由について判断する。
（１）本件特許発明は、訂正された明細書の特許請求の範囲に記載されたとおりのものであって、上記７で認定したとおりのものである。
　
（２）請求人の示した甲各号証には、以下の事項が記載されている。
　甲第１号証には、「従来、この種の表示装置はパチンコ機やスロットマシンに設けられ、例えば、パチンコ機の場合には遊技面の中央に表示装置が設けられている。この表示装置は外周に多数の図柄が描かれた３つの図柄筒を備え、各図柄筒をそれぞれステッピングモータにて回転させ、モータの停止角度に応じていずれかの図柄を遊技者に向けて表示する。そして、このようにして表示された図柄の組合わせに応じて入賞口への入球確率を変更するようになっている。」（第１頁右下欄１−１０行目）、「プリント基板１３上にはステッピングモータ１４とフォトスイッチ１５が固定されるとともに、そのステッピングモータ１４の出力軸１４ａを中心として円弧状に７個のＬＥＤ１６〜１９が配設されている。」（第２頁右上欄１３−１８行目）、「図柄筒２０は透明樹脂製であり、その表面には２層の印刷層２７，２８が形成されている。表面側の印刷層２７には前記図柄２３が印刷され、内面側の印刷層２８は乳白色を帯びた半透明で、図柄筒２３の内の絵札２３ａに対応する箇所を除いて形成されている。従って、各図柄２３は半透明状をなし、かつ、絵柄２３ａの部位はその他の部位に比較して光の透過率が高い。」（第３頁左上欄１−９行目）、「表示窓９に表示された図柄２３の種別を判定し、上段、中段及び下段ＬＥＤ１６〜１８を選択的に点滅させて絵札２３ａのみを裏面から間欠的に照明する。又、ＣＰＵ２９はパチンコ遊戯中常に照明用ＬＥＤ１９を点灯させて表示窓９に表示される全ての図柄２３を裏面から照明する。」（第３頁左下欄１−７行目）、「又、ＣＰＵ２９は上段、中段及び下段ＬＥＤ１６〜１８を消灯状態に保つとともに、全ての照明用ＬＥＤ１９を点灯させている。従って、図柄筒２０の図柄２３は照明用ＬＥＤ１９にて裏面側より照明され、遊技者側からは図柄２３が発光表示されて明確に視認され、かつ、通常の外部から照明した場合とは異なる見栄えとなる。又、絵札２３ａの透過率が高いことから絵札２３ａは周囲の通常の図柄２３に比較して明るく発光し、図柄筒２０の回転時において遊技者が絵札２３ａの移動を容易に把握可能となる。」（第３頁左下欄１９行目−右下欄９行目）、「又、表示された図柄２３の内に絵札２３ａがあるときには、ＣＰＵ２９はステップ３に移行して絵札２３ａの裏側に位置するＬＥＤ１６を所定周期で点滅させる。（第１０図に示す場合には上段ＬＥＤのみが点滅される）。従って、絵札２３ａは裏面より上段ＬＥＤ１６に間欠的に照明され、絵札２３ａ自体が点滅して遊技者による視認性が一段と高められる。次いで、ＣＰＵ２９はステップ４で第２の表示ボックス１１の図柄筒２０が停止されると（第１１図に示す）、ステップ５で第２の表示部２５に表示された３種類の図柄２３の内に絵札２３ａがあるか否かを判定し、絵札２３ａが表示されていないときにはステップ６に移行して前記ステップ３で点滅を開始した上段ＬＥＤ１６を消灯させる。又、ステップ５で表示された図柄２３の内に絵札２３ａがあるときには、ＣＰＵ２９はステップ７に移行して絵札２３ａの裏側のＬＥＤ１７を所定周期で点滅させるとともに、最後の第３表示部２６において大当たりとなり得る絵札２３ａの裏側のＬＥＤ１８を所定周期で点滅させる（第１１図に示す場合には第２表示部２５で中段のＬＥＤ１７が点滅され、第３表示部２６で下段ＬＥＤ１８が点滅される）。尚、第１１図においては大当たりとなり得る絵札２３ａが１つのみであるが、この絵札２３ａが複数ある場合にはそれぞれのＬＥＤ１６〜１８が点滅される。さらに、ＣＰＵ２９はステップ８で各ＬＥＤ１６〜１８の点滅周期を短くして大当たりとなる可能性が高いことを遊技者に知らせる。さらに、ＣＰＵ２９はステップ９で第３の表示ボックス１２の図柄筒２０が停止されると、ステップ１０に移行して第３表示部２６で点滅中の下段ＬＥＤ１８上に絵札２３ａが位置したか否か、即ち、判定ライン３３に沿って同一絵札２３ａが揃ったか否かを判定する。そして、絵札２３ａが揃わないときにはステップ６に移行して前記ステップ３及びステップ７で点滅を開始したＬＥＤ１６〜１８を消灯させる。又、ステップ１０で絵札２３ａが揃ったときには（第７図に示す）、ＣＰＵ２９はステップ１１で各絵札２３ａの裏側のＬＥＤ１６〜１８の点滅状態を所定時間継続し、その後、ステップ６で各ＬＥＤ１６〜１８を消灯する。」（第３頁右下欄２０行目−第４頁左下欄３行目）、「このように本実施例のパチンコ機は、図柄筒２０の図柄２３を半透明状に形成し、同図柄筒２０内に図柄２３を裏面より照明するＬＥＤ１６〜１９を配置した。従って、遊技中において図柄筒２０の図柄２３は裏面よりＬＥＤ１６〜１９に照明されて発光し、各図柄筒２３の視認性や見栄えを向上させることができる。」（第４頁左下欄４−１０行目）及び「加えて、本実施例のパチンコ機においては表示窓９に表示された絵札２３ａを上段、中段及び下段ＬＥＤ１６〜１８で裏面より間欠的に照明するようにした。従って、絵札２３ａ自体が点滅して視認性が一段と高められ、遊技者は大当たりの可能性があるか否かを容易に判断することができる。」（第４頁左下欄１６行目−右下欄１行目）と記載されており、甲第１号証には、「始動条件と停止条件に基づく複数種類の図柄組合わせゲームを行ない、予め設定された図柄同志の組合わせ成立時に対応して、特別遊技状態を呈することが可能とされたパチンコ遊技機において、前記図柄組合わせゲームの実体表示部とされる複数列ドラム式の図柄表示ユニットについて、適宜電子制御装置に接続可能とされた１枚の駆動基盤の片面側に、パルス駆動制御されるステッピングモータと、図柄位置検出用の光電式の検出具と、図柄照射用の照明手段を所要位置に配置して同基盤の他面側の駆動制御回路に各々接続する一方、ステッピングモータの回転部材に、各種図柄を絵付け配置した図柄ドラムを直接連結してセット単位に構成すると共に、各列における前記図柄ドラムのリム部を、透明樹脂製とし、同リム部の円周外面に透光性をもつ当り用と外れ用の前記図柄を印刷し、同リム部の円周内面側に当たり用図柄に対応する箇所を除き、半透明の乳白色の印刷層を形成し、この図柄ドラムの内側に設置された前記照明手段における３個のＬＥＤ１６〜１８及びＬＥＤ１９を、図柄の停止表示位置側に向けて配設し、前記各列の表示窓に表示された図柄ドラムの絵札の図柄に対して、ＬＥＤ１９を常に点灯し、各表示部２４〜２６の内の少なくとも一つに絵札２３ａが表示されないときは、ＬＥＤ１６〜１８は消灯され、第１表示部と第２表示部に表示された図柄２３の内に絵札２３ａがあるときには、絵札２３ａの裏側のＬＥＤを所定周期で点滅させるとともに、最後の第３表示部２６において大当たりとなり得る絵札２３ａの裏側のＬＥＤ１８を所定周期で点滅させ、３つの表示部で絵札２３ａが揃ったときには、各絵札２３ａの裏側のＬＥＤ１６〜１８の点滅状態を所定時間継続させて絵柄に各々の光を照射するとともに、図柄の組合わせに応じて入賞口への入賞確率を変更するようにした、図柄組合わせ式パチンコ遊技機用の図柄可変表示装置。」の発明が記載されていると認められる。
　甲第２号証には、「また、発光ダイオード４６が赤色の点灯表示をし入賞部２１が特別入賞部に設定されていることを表示する。また、セグメント表示部４５及び４７が「０」を表示し遊技開始の状態になる。この状態で、遊技球が特定入賞口１０に入賞すると、該遊技球は球流路１１を後方へ流れて箱枠９内の誘導板３２上へ流出し、その内周壁に沿って旋回しながら球落口３３から振り分け回転板１４上へ落下する。そして、遊技球が入賞部２１の嵌入孔２４に入ると、該遊技球は底板１２上で受けられつつ流出孔２７まで運ばれて落下し、検出スイッチ３０により検出される。これによって、発光ダイオード４６が赤色の点滅表示に変わり特定遊技状態の権利が付与されたことを遊技者に知らせる。したがって、この状態で遊技球が始動入賞口３４に入賞すると前述のような特定遊技状態となり遊技者にとって非常に有利となる。そして、特定遊技状態が終了すると、特別入賞部が入賞部２１から入賞部２２に変わり発光ダイオード４６が青色の点灯表示をする。そして、この状態のとき、遊技球が入賞部２２の嵌入孔２５に入ると底板１２上で受けられつつ流出孔２８まで運ばれて落下し、検出スイッチ３１により検出される。これによって、発光ダイオード４６が青色の点滅表示に変わり、再び特定遊技状態の権利が付与されたことを遊技者に知らせる。」（第３頁右下欄２行目−第４頁左上欄８行目）と記載されている。
　甲第３号証には、「本発明の目的は、一枚の転写用シートですべての立方ブロックに同時にプリントして図柄の位置関係のずれを防止すると同時に、立方ブロックの角に丸味をもたせることにより対向するブロック間に空間である谷を形成し、統一図柄の一部を谷の部分で欠如させ、ブロックの配列のさいに創造力を要求すると同時に使用時の安全性をも実現しうるブロック玩具の同時プリンと圧着方法を提供することにある。」（第３欄３２−４１行目）と記載されている。
　甲第４号証には、「こうして、熱転写シート材からほぼ円筒形の三次元物品に連続的に印刷を行う装置を得ることができた。シート材に可撓性があることから、平らな状態から円筒状に巻いた状態へそしてまた平らな状態への移行がなめらかであり、高速印刷を可能とする。」（第１６欄３９−４４行目）と記載されている。
　
（３）本件特許発明と、甲第１号証に記載された発明とを対比すると、甲第１号証の「ＬＥＤ１６〜１８及びＬＥＤ１９」及び「パチンコ遊技機」は、それぞれ本件特許発明の「発光源」及び「遊技機」に相当する。そして、本件特許発明の「図柄同士による外れ、リーチ外れ、大当たりの夫々の図柄組合せ条件に対して、照明手段の発光源による発光色切り替え照射可能」の構成について、これを発明の詳細な説明についてみると、「本実施例の図柄可変表示装置Ｄでは、・・・各列毎の図柄表示ユニット４５における照明手段５１の照明制御により、電源投入時から毎回の図柄組合わせ表示後までの各時点、各条件時に対応して、夫々の図柄に対する好適な照明がなされる。なお説明の便宜上、各列２個ずつの照明手段５１の発光色(照射色)については、常時表示色とされる一方の蛍光灯５１ａからの「青」と、変更(色変え)表示色として他方の蛍光灯５１ｂからの「赤」を例とする。」（段落【００３５】）、「（１）電源投入時以降では、全列図柄の「外れ」表示に対して全てに常色光「青」が連続点灯される。」（段落【００３６】１−２行目）、「（２）外れ図柄組合せでは、図６に例示するように（ａ）全列図柄の「外れ用」に対して常色光「青」が点灯される。（ｂ）左列図柄の「当たり用」に対して一旦変色光「赤」が点灯され、このもとで右列図柄の停止時に「青」点灯に戻される。」（段落【００３７】１−５行目）、「（３）リーチ外れ図柄組合わせでは、図７に例示するように、左列図柄に対して一旦変色光「赤」が点灯される。次いで右列図柄に対して「赤」点滅されると同時に左列図柄も「赤」点滅に変化され、そして中列図柄に対して停止時までの間に「赤」点滅されて「リーチ点滅」とされる。そして中列図柄の停止後には、全列図柄に対して一斉に常色光「青」点灯に戻される。（段落【００３８】１−５行目）、及び「（４）大当たり図柄組合せでは、図８に例示するように、前段階では前記（３）項の「リーチ点滅」と同様に、左列図柄に対する「赤」の点灯から点滅、右列図柄と中列図柄に対する「赤」点滅がなされる。そして中列図柄の停止後には、全列図柄に対して一斉に変色光「赤」が同期点滅されて「大当たり点滅」とされる。」（段落【００３９】１−４行目）と記載されており、この記載を考慮すると、甲第１号証に記載された発明の各列のＬＥＤ１６〜１８の照明切替動作は、当たり用図柄である絵札２３ａが停止した際点滅され、大当たりの可能性がなくなった段階で消灯されるものであるから、本件特許発明の「図柄同士による外れ、リーチ外れ、大当たりの夫々の図柄組合せ条件に対して、照明手段の発光源による発光色切り替え照射可能」の構成の各列の一方の発光源（５１ｂ）の照射切替動作と異なるところはなく、また、甲第１号証に記載された発明のＬＥＤ１９は、常時点灯されるものであるが、ＬＥＤ１６〜１８が消灯されたとき、即ち「外れ」の図柄組み合わせの際に各図柄を照明している点で、本件特許発明のもう一つの発光源（５１ａ）の照射と一致する。そうすると、両者は、「始動条件と停止条件に基づく複数種類の図柄組合わせゲームを行ない、予め設定された図柄同志の組合わせ成立時に対応して、特別遊技状態を呈することが可能とされ��遊技機において、前記図柄組合わせゲームの実体表示部とされる複数列ドラム式の図柄表示ユニットについて、適宜電子制御装置に接続可能とされた１枚の駆動基盤の片面側に、パルス駆動制御されるステッピングモータと、図柄位置検出用の光電式の検出具と、図柄照射用の照明手段を所要位置に配置して同基盤の他面側の駆動制御回路に各々接続する一方、ステッピングモータの回転部材に、各種図柄を絵付け配置した図柄ドラムを直接連結してセット単位に構成すると共に、各列における前記図柄ドラムのリム部を透明樹脂製とし、同リム部の円周外面に透光性をもつ当り用と外れ用の前記図柄を形成し、この図柄ドラムの内側に設置された前記照明手段における発光源を、図柄の停止表示位置側に向けて配設し、前記各列の図柄ドラムの図柄同志による外れ、リーチ外れ、大当たりの夫々の図柄組合わせ条件の内リーチ外れ及び大当たりに対して、前記照明手段の一つの発光源による発光切替照射可能に設定し、他の一つの発光源を外れのときに照射して、夫々の絵札の図柄に対して、各々発光源の光を照射するようにしたものである図柄組合わせ式遊技機用の図柄可変表示装置。」の点で一致し、本件特許発明が、図柄ドラムに熱転写方式で図柄を印刷しているのに対し、甲第１号証に記載された発明は、図柄の印刷方法が特定されていない点（以下、「相違点１」という。）、本件特許発明が、各列における図柄ドラムのリム部を、照射に対して色彩調和変化できる適宜下地色の有色透明にして、同リム部の円周外面に、照明手段から照射される紫外線に対して発光照明し得る蛍光インクで印刷された透光性をもつ当り用と外れ用の前記図柄を形成すると共に、各図柄を除いた周囲の下地部分は蛍光インク以外の通常インクで印刷したものであるのに対し、甲第１号証に記載された発明は、各列における図柄ドラムのリム部を、透明樹脂製とし、同リム部の円周外面に透光性をもつ当り用と外れ用の前記図柄を印刷し、同リム部の円周内面側に当たり用図柄に対応する箇所を除き、半透明の乳白色の印刷層を形成しているというのみで、印刷インクについては特段の限定がない点（以下、「相違点２」という。）、及び本件特許発明が、図柄ドラムの内側に設置された照明手段として、発光色の異なる２個以上の蛍光灯を用い、各列の図柄ドラムの図柄同志による図柄組合わせ条件に対して、前記照明手段の発光源による発光色切換え照射可能に設定しているのに対し、甲第１号証に記載された発明は、図柄ドラムの内側に設置されたＬＥＤ１６〜１８とＬＥＤ１９の発光色について何らの記載もなく、ＬＥＤ１９については、点灯されたままで照明切替が行われない点（以下、「相違点３」という。）で相違する。
　
（４）上記相違について検討する。
　本件特許発明は、上記相違点２及び相違点３にみられるように、発光源として、蛍光灯を採用し、当り用と外れ用の図柄を蛍光インクで印刷し、図柄以外の部分を通常インクで印刷したものである。そして、これにより、図柄部分のみを紫外線に対して、発光照明し得るようにしたものである。
　これに対し、甲第１号証及び甲第２号証に記載されたものは、いずれも、発光ダイオードを使用するものであり、また、図柄ドラムを蛍光インクで印刷することについても、甲各号証のいずれにも記載されておらず示唆もされていない。そして、図柄組合わせ式の遊技機又はパチンコ機等の遊技機において、蛍光インクで印刷された図柄を蛍光灯で照明することが、周知であるとの証明もされていない。
　したがって、本件特許発明は、甲第１〜４号証に記載された発明に基づいて当業者が容易に発明をすることができたものとすることはできない。
　
１０．結論
　したがって、本件特許は、無効審判請求における審判請求人が主張する理由及び証拠によっては、無効とすることができない。
　よって結論の通り審決する。
　審判費用については、特許法第１６９条第２項で準用する民事訴訟法第６１条を適用して、結論のとおり審決する。